(57)【要約】【課題】  交換可能モジュールを有するプリンタを提供する。【解決手段】  上面に設けられた操作パネル２１、底部に設けられた連接機構及び底部に設けられた少なくとも一つの連接器２４を有するプリンタと、取外せるようにプリンタ２の底部に設けられた突合せ連接機構３２及びプリンタ２の底部にある連接器に接続される突合せ連接器３４を有する拡張電子装置３と、連接器２４に電性接続して拡張電子装置３を識別する識別インターフェイス２６とを備える。拡張電子装置３は、スキャナ、娯楽装置、データアクセス装置或いは電池でもよい。【選択図】  図２
0003109923.tif 000002
【実用新案登録請求の範囲】
【請求項１】
上面に設けられた操作パネル、底部に設けられた連接機構及び底部に設けられた少なくとも一つの連接器とを有するプリンタと、
取外せるように前記プリンタの底部に設けられた突合せ連接機構及び前記プリンタの底部にある前記連接器に接続される突合せ連接器を有する拡張電子装置と、
前記連接器に電性接続して前記拡張電子装置を識別する識別インターフェイスとを備えることを特徴とする交換可能モジュールを有するプリンタ。
【請求項２】
外周に少なくとも一つのＵＳＢ（ユニバーサルシリアルバス）連接器が設けられた交換可能モジュールを有するプリンタであって、
前記拡張電子装置が、少なくとも一つのＵＳＢ連接器を備えて、二つの拡張電子装置に接続することができることを特徴とする請求項１記載の交換可能モジュールを有するプリンタ。
【請求項３】
前記プリンタは、少なくとも一つのメモリカードスロットを備えることを特徴とする請求項１記載の交換可能モジュールを有するプリンタ。
【請求項４】
前記プリンタの前記連接機構は、前記プリンタの底面から内向きの凹みに設けられて、前記溝の断面が略Ｌ形を呈した一対の溝を備え、
前記拡張電子装置の前記突合せ連接機構は、滑動できるように対称的に前記拡張電子装置の内部に設置され、その上面から突出された一対の略Ｌ形を呈したツメと、滑動できるようにその側壁上に設けられてそれぞれツメを制御するスライドとを備えることを特徴とする請求項１記載の交換可能モジュールを有するプリンタ。
【請求項５】
前記プリンタは、その底面に複数のピンが突設され、
前記拡張電子装置は、その上面に前記ピンに対応する複数の設置槽が設けられることを特徴とする請求項４記載の交換可能モジュールを有するプリンタ。
【請求項６】
前記操作パネルは、少なくとも液晶表示器を備えることを特徴とする請求項１記載の交換可能モジュールを有するプリンタ。
【請求項７】
前記プリンタは、可動式上蓋及び前記上蓋下方に接続される側蓋を備え、前記側蓋の一端が前記プリンタの後壁に枢接されているため、前記上蓋を閉じると前記操作パネルを保護することができ、前記上蓋を開けると前記側蓋に合わせて紙をガイドすることができることを特徴とする請求項１記載の交換可能モジュールを有するプリンタ。
【請求項８】
少なくとも一つの拡声器を備えた交換可能モジュールを有するプリンタであって、
前記拡張電子装置は、突合せ連接機構、メモリユニット及び画像音声再生ユニットを備える娯楽装置であることを特徴とする請求項１記載の交換可能モジュールを有するプリンタ。
【請求項９】
前記拡張電子装置は、突合せ連接機構を備えるデータアクセス装置であることを特徴とする請求項１記載の交換可能モジュールを有するプリンタ。
【請求項１０】
前記拡張電子装置は、突合せ連接機構を備えるスキャナであることを特徴とする請求項１記載の交換可能モジュールを有するプリンタ。
【請求項１１】
充電式電池を備えることを特徴とする請求項１記載の交換可能モジュールを有するプリンタ。
【考案の詳細な説明】
【技術分野】
【０００１】
本考案は、交換可能モジュールを有するプリンタに関し、特に異なる機能を有する交換可能な拡張電子装置を結合することのできるプリンタに関する。
【背景技術】
【０００２】
インクジェットプリンタは、通常、コンピュータのデータを出力する際に使用され、現在広く普及している。それは、静かにカラー印刷を行うことができる長所を有し、その構造は一般に紙の出入口、給紙装置、ノズル及びインクカートリッジを有する。しかし、その機能はデータ或いは画像の印刷使用だけに限られ、ユーザの使用時期或いは研究開発員の発展方向にとっても、コンピュータに接続された周辺装置の役割からは抜け出せず、データへのアクセスを通常コンピュータに依頼しているため、その発展性は制限されていた。
【０００３】
現在の消費ニーズを見ると、インクジェットプリンタの市場は発展が行き詰っているばかりでなく、後退してきている状況にあることが分かる。そのため、現在のインクジェットプリンタは発展方向を改善する必要があった。
【０００４】
よって、本考案者は従来技術において機能が限定されていた欠点及びその持続的な発展方向を観察し、研究に専念して学理を運用することにより、ついに合理的な設計により効果的な本考案を提供することができた。そして、新しい機能を増やして、画像製品、デジタルカメラ或いは映像音声設備に結合することにより、従来技術において機能が限定されていた欠点を改善して、消費市場を刺激することが期待される。
【考案の開示】
【考案が解決しようとする課題】
【０００５】
本考案の主な目的は、異なる交換可能モジュールを有する拡張電子装置を接続することのできるプリンタを提供して、プリンタの機能を拡張する交換可能モジュールを有するプリンタを提供することにある。
【０００６】
本考案のもう一つの目的は、プリンタの機能を拡張するプリンタへ適用する交換可能モジュールを有する拡張電子装置を提供することにある。
【課題を解決するための手段】
【０００７】
上述の目的を達成するため、本考案は交換可能モジュールを有するプリンタを提供する。本考案のプリンタは、上面に設けられた操作パネルと、底部に設けられた連接機構と、底部に設けられた少なくとも一つの連接器とを備える。そして、拡張電子装置は、取外せるようにプリンタの底部に設けられた突合せ連接機構と、プリンタの底部にある連接器に接続される突合せ連接器とを備える。また、プリンタは、連接器に電性接続されて拡張電子装置を識別する識別インターフェイスを備える。
【考案の効果】
【０００８】
本考案の交換可能モジュールを有するプリンタは、次の長所を有する。
（１）プリンタに持続発展の方向性を持たせて、生活娯楽や外部接続スキャナなどといった多機能を持たせて様々な要求に対応させ、プリンタの機能が限定されていた欠点とユーザの既定印象を過去のものとすることができるだけでなく、消費者のプリンタを購入する動機を更に高めることもできる。
（２）プリンタを持運びできるようにして、特に体積が小さなフォトプリンタへの応用といった様々な場合に適用することができる。
（３）プリンタが独立性を有するため、コンピュータに頼ってデータにアクセスする必要がなくなり、ユーザが使用する際、更に便利となる。
【考案を実施するための最良の形態】
【０００９】
図１及び図２は、本実施形態の交換可能モジュールを有するプリンタを示す斜視図である。交換可能モジュールを有するプリンタ１は、プリンタ２及びプリンタ２の底部に取外すことができるように設けられる拡張電子装置３を含む。プリンタ２は、上面に設けられた操作パネル２１と、底部に設けられた連接機構と、底部に設けられた少なくとも一つの連接器２４とを備える。拡張電子装置３は、上面に設けられた突合せ連接機構３２と、プリンタ２の底部にある連接器２４に接続される突合せ連接器３４とを備える。プリンタ２は、連接器に電性接続されて拡張電子装置３を識別する識別インターフェイス２６を有し、識別インターフェイス２６はファームウェアを有する回路基板（図示せず）でもよい。連接器２４は、プリンタ２の底部にある収納槽内に入れられて（図示せず）底部表面から露出しないが、拡張電子装置３の突合せ連接器３４は上面から露出して、信号端子及び電源端子をそれぞれ有する。
【００１０】
本実施形態において、プリンタ２の連接機構は、一対の溝２２がプリンタ２の底面から内向きに凹んで設けられ、溝２２の断面は略Ｌ形を呈している。拡張電子装置３の突合せ連接機構３２は、滑動できるように対称的に拡張電子装置３の内部に設置されてその上面から突出された一対の略Ｌ形を呈したツメ３２２と、滑動できるようにその側壁上に設けられてそれぞれツメ３２２を制御するスライド３２４とを備える。連接機構及び突合せ連接機構３２は上述の実施形態だけに限定されるわけではなく、取外すことのできる組立方式であれば他の形態でも良い。またはプリンタ２に抜取り槽を設けて拡張電子装置３をその中へ挿入するか、スライド方式や掛合方式により組合わせてもよい。
【００１１】
プリンタ２を単独で使用することを考慮し、プリンタ２の底面には支持或いは吸振用の複数のピン２８を設けると同時に、拡張電子装置３の上面の凹みには、ピンに対応する複数の設置槽３８が設けられ、連接するときにピン２８を収納する。
【００１２】
本実施形態のプリンタ２はフォトプリンタにしてもよく、プリンタの体積を小さくして（その印刷の最大サイズは４×６或いは５×７である。）使用空間を節減することができる以外に、デジタルカメラに出力設備を提供するとともに、ユーザに複数の入力出力方法を提供することもできる。例えば、プリンタ２の前面に少なくとも一つのメモリカードスロット２９を設けて直ちに写真を出力することもできる。また、それと拡張電子装置３との間のデータアクセスの利便性を高めるとともに、デジタルカメラのメモリカードに直接アクセスして拡張電子装置３との間でデータ交換を行うこともできる。
【００１３】
プリンタ２の操作パネル２１は、少なくとも一つの液晶表示器２１２を備えているため、即時に画像及び拡張電子装置３の状態を観察することができ、画像ソース選択キイにより装置を選んで画像ソースにする。この装置は、例えばメモリカードスロット２９或いは拡張電子装置３であり、ファイルアクセス選択キイによりファイルにアクセスする。上述した操作機能は、タッチコントロール機能を有する液晶表示器上に設置することができるものであれば、機械式キイに限定しなくともよい。
【００１４】
図３は、本実施形態の交換可能モジュールを有するプリンタを示す後面図である。プリンタ２は、その外周に少なくとも一つのＵＳＢ（ユニバーサルシリアルバス）連接器２７が設けられ、もう一つの拡張電子装置３を外部接続することができる。拡張電子装置３は、少なくとも一つのＵＳＢ連接器３７がその上面或いは側面（図２を参照）に設けられているため、プリンタ２は二つ以上の拡張電子装置３を同時に接続することができる。例えば、スキャナと光学式ディスク装置との接続のように、伝送ラインによりもう一つの拡張電子装置３のＵＳＢ連接器３７をプリンタ２の連接器２７に接続できればよい。
【００１５】
図４、図４Ａ及び図４Ｂは、本実施形態の交換可能モジュールを有するプリンタの組立を示す後面図及び部分拡大図である。ツメ３２２を滑動するように設置して拡張電子装置３の上面から突出させ、スライド３２４により滑動するようにツメ３２２を駆動させてプリンタ２の溝２２内に掛合せたり、プリンタ２の溝２２を移動させて分離したりする。
【００１６】
図５は、本実施形態の交換可能モジュールを有するプリンタの使用状態を示す斜視図である。プリンタ２は可動式上蓋２３及び上蓋２３下方に連接する側蓋２５を備え、側蓋２５の一端をプリンタ２の後壁へ枢接する。これにより、上蓋２３を閉じると操作パネル２１を保護し、上蓋２３を開けると、側蓋２５に合わせて紙をガイドすることができる。その前方にはもう一つの蓋が枢設され、印刷しないときには蓋を閉めて、前方のメモリカードスロット２９を保護することができると同時に、プリンタの前面造型に美しい流線型を持たせる。
【００１７】
図６及び図７は、本実施形態の交換可能モジュールを有するプリンタのもう一つの使用形態を示す図である。拡張電子装置は、ハードディスク或いは光学式ディスク装置などのデータアクセス装置３ａでもよい。これによりプリンタはコンピュータを介さずに画像ファイルへ直接にアクセスすることができる。プリンタ２は、スキャナの拡張電子装置３ｂへ同時に接続することができ、スキャンした後、直ちに操作パネル２１の液晶表示器により画像を見ることができるとともに、アクセスしたり印刷したりするかどうかを決定することができる。本実施形態の交換可能モジュールを有するプリンタ１は、拡声器４がプリンタ２或いは拡張電子装置３内に設けられ、生活娯楽の機能を有する。拡張電子装置は、例えばＭＰ３再生ファームウェアで音楽や映像を再生するなどといった、メモリユニット及び映像音声再生ユニットなどを備える娯楽装置である。また、消費電力が大きいハードディスク或いは光学式ディスク装置に対応して、充電式電池５をプリンタ２或いは拡張電子装置３内に設置したり、拡張電子装置を充電式電池にしたりすることもでき、そうするとプリンタ２は持運びしやすくなる。
【００１８】
添付図面に示す実施態様を前述の通り詳しく説明したが、これらは本考案を単に説明しただけであり、本考案の権利範囲を何ら制限するものではない。
【図面の簡単な説明】
【００１９】
【図１】本考案による交換可能モジュールを有するプリンタを示す分解斜視図である。
【図２】本考案による交換可能モジュールを有するプリンタを示すもう一つの分解斜視図である。
【図３】本考案による交換可能モジュールを有するプリンタを分離したときの状態を示す背面図である。
【図４】本考案による交換可能モジュールを有するプリンタを組合せたときの状態を示す背面図である。
【図４Ａ】図４の連接機構の組合せ前を示す図である。
【図４Ｂ】図４の連接機構の組合せ後を示す図である。
【図５】本考案による交換可能モジュールを有するプリンタの使用形態を示す斜視図である。
【図６】本考案による交換可能モジュールを有するプリンタの使用形態を示すもう一つの斜視図である。
【図７】本考案による交換可能モジュールを有するプリンタの使用形態を示す更にもう一つの斜視図である。
【符号の説明】
【００２０】
１      交換可能モジュールを有するプリンタ
２      プリンタ
２１    操作パネル
２１２  液晶表示器
２２    溝
２３    上蓋
２４    連接器
２５    側蓋
２６    識別インターフェイス
２７    ＵＳＢ連接器
２８    ピン
２９    メモリカードスロット
３、３ａ、３ｂ  拡張電子装置
３２    突合せ連接機構
３４    突合せ連接器
３２２  ツメ
３２４  スライド
３７    ＵＳＢ連接器
３８    設置槽
４      拡声器
５      充電式電池
【図１】
0003109923.tif 000003
【図２】
0003109923.tif 000004
【図３】
0003109923.tif 000005
【図４】
0003109923.tif 000006
【図４Ａ】
0003109923.tif 000007
【図４Ｂ】
0003109923.tif 000008
【図５】
0003109923.tif 000009
【図６】
0003109923.tif 000010
【図７】
0003109923.tif 000011